(57)【要約】      （修正有）【課題】まくり上がり、旗竿への巻き込みを有効に防止する幟旗用重錘を提供する。【解決手段】幟旗用重錘は、幟旗２の横幅の３分の１以上の長さの扁平な矩形状を有し、四隅に四半分の円弧状部分を有する。錘幟旗用重錘１を、幟旗２の下縁側の横幅方向に長い袋状部２２の内部へ、リング状の乳２１がある縦側縁側と反対側の開口２２ａから、リング状の乳２１がある縦側縁側まで挿入し、幟旗用重錘１が幟旗２の外観から見えなくなった後、横幅方向のほぼ中心の縫製部２２ｂを縫製により閉じて装着する。【選択図】図２
0003154348.tif 000002
【実用新案登録請求の範囲】
【請求項１】
幟旗のまくり上がりや巻き込みを防止するための幟旗用重錘であって、
前記幟旗の横幅の３分の１以上の長さの扁平な矩形状を有し、
前記幟旗の下縁側、かつ、リング状の乳を有する縦側縁側に形成された袋状部の内部へ挿入され、縫製、溶着又は接着によって装着される、
ことを特徴とする幟旗用重錘。
【請求項２】
四隅に四半分の円弧状部分を有する、
ことを特徴とする請求項１に記載の幟旗用重錘。
【請求項３】
少なくとも縦側縁の一方にリング状の乳が複数設けられ、
このリング状の乳がある縦側縁側、かつ、下縁側に袋状部が形成され、
請求項１又は請求項２に記載の幟旗用重錘が、前記袋状部の内部へ挿入され、縫製、溶着又は接着によって装着されてなる、
ことを特徴とする幟旗用重錘を備えた幟旗。
【考案の詳細な説明】
【技術分野】
【０００１】
本考案は、店舗、店頭等に立てた使用時に、自然の風により、若しくは、車両の通行時に生じる瞬間的な強風によって、幟旗がまくり上がったり、旗竿へ巻き込むことを防止するための幟旗用重錘及びこれを備えた幟旗に関し、簡便且つ安価に製造することができるとともに、装着が簡易であり、外観も損なわずに審美で、幟旗本来の広告、宣伝機能を損なわせない幟旗用重錘及びこれを備えた幟旗に関する。
【背景技術】
【０００２】
店舗、店頭、観光地等で比較的大型の幟旗を立て、訪れた客に商品等を宣伝、広告する販促手法が従来から知られている。穏やかに風の吹く日には、幟旗が適度にはためいて、商品等の宣伝、広告が最大限に発揮されるが、風が強くなりすぎると、強風にあおられて幟旗がまくり上がったり、または、旗竿に絡みついたりするという問題がある。さらに、一度まくり上がったり、または、旗竿に絡みついたりした幟旗は、風が止んだとしても、まくり上がったままの状態、旗竿に絡みついたままの状態で留まることも多い。
そうすると、旗の本来の目的である商品等の宣伝、広告の機能がまったく果たされないという問題がある。
【０００３】
現状、各店の店主が各自、まくり上がりや旗竿に絡みついた幟旗を手作業によって直したり、または、独自の重錘等を用いて幟旗のまくり上がりや旗竿への絡みつきを防止したりする対策を行っているが、その効果は十分であるといえない。また、例えば、下記特許文献１にて、幟旗の舞い上がり防止具に係る発明が提案されているが、旗竿への絡みつきを防ぐことに関して十分に対応したものといえないという問題がある。
【先行技術文献】
【特許文献】
【０００４】
【特許文献１】特許第３５６４４０８号公報
【０００５】
上記特許文献１に係る幟旗の舞い上がり防止具では、環状の吊り手を有するオモリと、前記吊り手を引っ掛けるフックとを備える掛止部材からなり、該掛止部材は、内側上端に前記フックが形成され、その左右において縦方向に延びる互いに反対方向外向きの係止面を有する本体部と、上端において本体部とつながり、本体部の前記係止面に対応して縦方向に延びかつ前記係止面との間で乳を挟む互いに反対方向内向きの係止面をそれぞれ有する左右のクリップ部からなり、本体部の係止面とクリップ部の係止面にはそれぞれ係止用の突起が形成され、さらに全体がプラスチックの一体成形体であることを特徴とし、強風下でも外れることなく幟旗の舞い上がりと絡みつきを防止できると同時に、幟旗の運搬又は保管作業等のあいだ簡単に外れたりせず、さらに市販のオモリでもそのまま利用でき、低コストで舞い上がり防止具を提供することができるとしている。
しかし、特許文献１の提案に係る舞い上がり防止具は、幟旗の舞い上がりに対し、オモリの作用により、ある程度まで防止することが可能であると思料されるものの、左右のクリップ部にて幟旗の帯状の乳を挟む構造であるので、強風が吹いた際に、旗竿への絡みつきを有効に防ぐことができるか否かについて疑問の余地がある。
【考案の開示】
【考案が解決しようとする課題】
【０００６】
このように、従来から、各店主等が独自に、幟旗の舞い上がりや旗竿への巻き込み防止対策を行っていたが、十分に有効な対策となっていなかったという問題のほか、上記特許文献１に提案された舞い上がり防止具についても、強風が吹いた際に、旗竿への絡みつきを有効に防ぐことができるか否かについて疑問の余地があった。
【０００７】
本考案は、上記実情から提案され、簡便且つ安価に製造することができる重錘を幟旗の内部へ挿入して縫製、溶着又は接着により装着することにより、重錘自体を簡便且つ安価に製造することができるものとするとともに、重錘の幟旗への装着を簡易にすることができ、重錘が装着された幟旗も外観が審美であるなど、幟旗本来の広告、宣伝機能を損なわせない幟旗用重錘及びこれを用いた幟旗を提供することを目的とする。
【課題を解決するための手段】
【０００８】
上記目的を達成するために、本考案は、幟旗のまくり上がりや巻き込みを防止するための幟旗用重錘であって、前記幟旗の横幅の３分の１以上の長さの扁平な矩形状を有し、前記幟旗の下縁側、かつ、リング状の乳を有する縦側縁側に形成された袋状部の内部へ挿入され、縫製、溶着又は接着によって装着されることを特徴とする。
【０００９】
特に、上記幟旗用重錘は、四隅に四半分の円弧状部分を有することが好ましい。
【００１０】
また、本考案に係る幟旗用重錘を備えた幟旗は、少なくとも縦側縁の一方にリング状の乳が複数設けられ、このリング状の乳がある縦側縁側、かつ、下縁側に袋状部が形成され、上記幟旗用重錘が袋状部の内部へ挿入されて、縫製、溶着又は接着によって装着されてなることを特徴とする。
【考案の効果】
【００１１】
本考案に係る幟旗用重錘は、まず、幟旗の横幅の３分の１以上の長さの扁平な矩形状を有するので、その自重とともに、幟旗の横幅の３分の１以上の長さの扁平な矩形状により、幟旗のまくり上がりのみならず、旗竿への巻き込み（絡みつき）を有効に防止することができる。特に、幟旗の下縁側、かつ、リング状の乳を有する縦側縁側に形成された袋状部の内部へ挿入されるため、装着された後の幟旗は外観も審美であって、幟旗本来の広告、宣伝機能が損なわれないことをはじめ、縫製、溶着又は接着によって装着されるために、強風等が吹いても本考案の幟旗用重錘が幟旗から外れるという不都合が発生しない。さらに、例えば、合成樹脂製とすることにより、製造も容易であり、幟旗への装着も縫製、溶着又は接着という簡単な作業で済ますことができる。したがって、本考案は、簡便且つ安価に製造することができるとともに、幟旗への装着も簡易で、装着した幟旗の外観も審美にして幟旗本来の広告、宣伝機能を損なわない幟旗用重錘を提供することができる。
なお、本考案に係る幟旗用重錘は、幟旗の横幅の３分の１以上の長さを有すれば、上記効果を得ることができるものであるが、幟旗本来の風になびくという特性を生かすため、さらには、幟旗用重錘を備えた幟旗に通行人等が接触したときに怪我を負わせないようにするため、幟旗の横幅よりも短い長さとすることが好ましい。
【００１２】
特に、上記幟旗用重錘は、四隅に四半分の円弧状部分を有する形状のため、袋状部の内部へ挿入しやすい形状であって、作業性を向上させることができるほか、幟旗の下縁側、かつ、リング状の乳を有する縦側縁側に形成された袋状部の内部へ挿入されても、幟旗（特に、袋状部）を傷つけないようにすることができる。
【００１３】
また、本考案に係る幟旗用重錘を備えた幟旗は、少なくとも縦側縁の一方にリング状の乳が複数設けられ、このリング状の乳がある縦側縁側、かつ、下縁側に袋状部が形成され、上記幟旗用重錘が袋状部の内部へ挿入されて、縫製、溶着又は接着によって装着されてなるので、上述した幟旗用重錘が有する効果を備え、強風によっても幟旗本来の広告、宣伝機能を損なわない幟旗用重錘を備えた幟旗を提供することができる。
【図面の簡単な説明】
【００１４】
【図１】本考案に係る幟旗用重錘の正面図である。
【図２】本考案に係る幟旗用重錘を備えた幟旗の正面図である。
【図３】本考案に係る幟旗用重錘が、幟旗へ挿入され、縫製（又は溶着若しくは接着）により装着されることを説明する要部拡大説明図である。
【考案を実施するための形態】
【００１５】
以下、本考案の一実施形態を、図面に基づいて説明する。
【００１６】
図１に示すように、まず、本考案に係る幟旗用重錘１は、合成樹脂製、例えば、プラスチック廃材などを再利用して製造した硬いプラスチックからなり、扁平な矩形形状を有している。特に、四隅は、丸みを帯び、すなわち、四半分の円弧状部分１ａを有するように形成されている。具体的には、幟旗の横幅の３分の１以上の長さを有する扁平な矩形状、例えば、幅が６０ｃｍの幟旗に装着する場合には、長さ３０ｃｍ、幅３ｃｍ、厚さ６ｍｍの矩形状を有し、重さが２０〜１００ｇ、例えば、６０ｇのものが使用される。
本考案に係る幟旗用重錘１の重さについては、２０〜１００ｇであれば実施可能であり、３０〜６５ｇのものが、まくり上がりや旗竿への巻き込みを防止する観点から好ましく、４５〜６０ｇのものがさらに好ましい。
【００１７】
なお、本考案において、幟旗用重錘１は、幟旗の横幅の３分の１以上の長さがあればよく、幟旗の幅に応じて適宜長さを決めればよい。また、幟旗用重錘１の自重は、３０〜６５ｇ前後が、幟旗のまくり上がりや旗竿への巻き込みを防止するのに適した重さであることを試験により確認している。厚みについても、幟旗の外観から目立たない程度の厚みであればよく、試験の結果、３．５ｍｍ〜７．０ｍｍのものを採用することが好ましいことを確認している。
【００１８】
次に、図２に示すように、本考案に係る幟旗用重錘１を備えた幟旗２は、少なくとも縦側縁の一方にリング状の乳２１が複数設けられ、このリング状の乳２１がある縦側縁側、かつ、下縁側に、横幅方向に長い袋状部２２が形成され、上述した幟旗用重錘１が、袋状部２２内へ挿入され、縫製、溶着又は接着、例えば、縫製によって装着されてなるもので、例えば、長さが１５０ｃｍ、幅が６０ｃｍの布生地からなる。
幟旗２の袋状部２２は、さらに詳しく説明すると、幟旗２の下縁側において、例えば、リング状の乳２１がある縦側縁側と反対側に開口２２ａが設けられ、この開口２２ａから横幅方向にリング状の乳２１がある縦側縁側まで細長く形成されている。
本考案に係る幟旗用重錘１を備えた幟旗２は、幟旗用重錘１が袋状部２２内へリング状の乳２１がある縦側縁側まで挿入されると、例えば、横幅方向のほぼ中心付近にある縫製部２２ｂが縫製されて、幟旗用重錘１が固定される。なお、袋状部２２の内部については、少なくとも幟旗用重錘１を収容する幅や大きさがあればよく、例えば、幅５ｃｍである。また、リング状の乳２１とは、旗竿へ幟旗２を取り付けるために、リング状の布で作られる取付用の輪のことをいう。
【００１９】
ここで、図１〜図３に基づいて、本考案に係る幟旗用重錘１を幟旗２に装着し、本考案に係る幟旗用重錘１を備えた幟旗２を作製する方法を概説する。
【００２０】
まず、図１に示すような幟旗用重錘１を用意する。
また、図２に示すような、下縁側で、かつ、リング状の乳２１がある縦側縁側に横幅方向に長い袋状部２２が形成された幟旗２も用意する。ここで、幟旗２の袋状部２２には、収容（挿入）する幟旗用重錘１の長さや幅、厚みに対応させて、幟旗２の下縁側で、リング状の乳２１がある縦側縁側と反対側に開口２２ａをあらかじめ設けておく。
次に、幟旗用重錘１を、幟旗２の下縁側に横幅方向に細長く形成された袋状部２２の内部へ挿入する。その際、幟旗２の袋状部２２には、幟旗２の下縁側で、リング状の乳２１がある縦側縁側と反対側に開口２２ａが設けられているので、この開口２２ａから幟旗２の横幅方向へ、幟旗用重錘１を挿入すればよい。
そして、袋状部２２内へ幟旗用重錘１がリング状の乳２１がある縦側縁側まで挿入され、幟旗用重錘１が幟旗２の外観から見えなくなった後、横幅方向のほぼ中心付近の縫製部２２ｂを縫製により閉じ、幟旗用重錘１を袋状部２２内に固定し、装着する。これにより、本考案に係る幟旗用重錘１を備えた幟旗２が完成する。
【００２１】
そうすると、幟旗２の一方の縦側縁にある複数のリング状の乳２１に旗竿を通すことで、まくり上がりや巻き込みを防止し、広告、宣伝機能を損なわないで本考案に係る幟旗用重錘１を備えた幟旗２を実施することができる。この際、縫製部２２ｂが縫製されて閉じられているため、強風が吹くなどしても幟旗用重錘１が幟旗２から外れることがない。また、幟旗用重錘１は、袋状部２２の内部に挿入された後、幟旗２の下縁側の横幅方向のほぼ中心付近の縫製部２２ｂが縫製されることにより固定されているので、強風が吹くなどしても幟旗用重錘１が袋状部２２内でばたつくことを防ぐことができる。
また、幟旗用重錘１を備えた幟旗２が完成し、流通に乗せる場合には、幟旗用重錘１が扁平な矩形状であるので、幟旗２を折り畳むことも容易にできる。そして、折り畳んだ幟旗用重錘１を備えた幟旗２は、幅（長さ）が幟旗２の横幅の３分の１以上の長さ、例えば、３０ｃｍ前後に収まるので、梱包の際に何ら問題となることもない。このほか、幟旗用重錘１の四隅は四半分の円弧状部分１ａであるので、幟旗２の特に袋状部２２を傷つけることがないほか、袋状部２２の内部へ挿入しやすく、作業性も向上している。
【００２２】
したがって、本考案に係る幟旗用重錘１は、まず、例えば、幅６０ｃｍの幟旗２の横幅の３分の１以上の長さを有する、例えば、長さ３０ｃｍの扁平な矩形状であるので、その自重、例えば、６０ｇの自重とともに、長さ３０ｃｍの扁平な矩形状により、幟旗のまくれ上がりのみならず、旗竿への巻き込みも有効に防止することができる。特に、幟旗２の下縁側で、かつ、リング状の乳２１がある縦側縁側の袋状部２２の内部へ、開口２２ａより幟旗２の横幅方向に挿入されるため、装着された後の幟旗２の外観も審美であって、幟旗本来の広告、宣伝機能が損なわれない。さらに、幟旗用重錘１が縫製によって幟旗２に装着されるため、強風等が吹いても幟旗用重錘１が幟旗２から外れるという不都合も発生しない。このほか、幟旗用重錘１は、例えば、プラスチック廃材を利用した硬いプラスチックであるので製造も容易であり、また、幟旗２への装着も縫製という簡単な作業で済ますことができる。なお、幟旗用重錘１は、四隅に丸みを有する、すなわち、四隅が四半分の円弧状部分１ａであるため、幟旗２の袋状部２２の内部へ挿入しやすく、また、幟旗２（特に、袋状部２２）を傷つけずに、幟旗２の広告、宣伝機能を長期間にわたって維持することが可能となる。また、本考案は、幟旗用重錘１がプラスチック廃材を再利用して構成されるため、環境問題にも前向きに対応することができるという付加価値が得られる。
【００２３】
また、本考案に係る幟旗用重錘１を備えた幟旗２は、少なくとも一方の縦縁部側にリング状の乳２１が複数設けられ、このリング状の乳２１がある縦縁部側で、かつ、下縁側に横幅方向に長い袋状部２２が形成され、この袋状部２２の内部へ上記幟旗用重錘１が挿入され、縫製によって装着されてなるので、幟旗用重錘１の有する効果を備えつつ、広告、宣伝機能を損なわない幟旗用重錘１を備えた幟旗２を提供することができる。
【００２４】
ここで、上述した実施形態では、幟旗用重錘が、幟旗の袋状部の内部へ挿入された後、縫製によって装着された例を示して説明したが、本考案では、縫製による装着方法以外にも、例えば、熱溶着であったり、公知の接着剤を使った接着によって幟旗用重錘を幟旗に装着させても好ましい。具体的には、例えば、幟旗用重錘を袋状部の内部に挿入した後、幟旗の下縁側の横幅方向のほぼ中心付近を熱溶着することにより袋状部内に固定し、装着すればよい。そして、この場合も、強風によっても幟旗本来の広告、宣伝機能を損なわない幟旗用重錘を備えた幟旗を提供することができる。
さらに、上述した実施形態では、幟旗の袋状部の開口をリング状の乳がある縦側縁側と反対側に設けた例を示して説明したが、この開口は、装着する幟旗用重錘の長さに対応させて、袋状部の横幅方向のほぼ中心付近に設けてもよい。この場合、この開口から袋状部の内部へ、すなわち、幟旗のリング状の乳がある縦側縁側へ向けて幟旗用重錘を挿入すればよく、幟旗用重錘が装着された後の幟旗は、外観が審美であって、幟旗本来の広告、宣伝機能が損なわれないものとすることができる。また、上記開口は、装着する幟旗用重錘の幅に対応させて、リング状の乳がある縦側縁側に設けてもよい。この場合、幟旗用重錘を、開口のある幟旗のリング状の乳がある縦側縁側から横幅方向のほぼ中心付近の縫製部（溶着部又は接着部）まで挿入し、幟旗用重錘がリング状の乳がある縦側縁側に収まったことを確認した後、開口を縫製、溶着又は接着し、幟旗用重錘を装着すればよい。
すなわち、本考案では、幟旗の下縁側、かつ、リング状の乳を有する縦側縁側に、少なくとも織旗用重錘を収容するだけの大きさがある袋状部が設けられていれば、その開口の位置については、種々の設計変更が可能である。
【００２５】
以上、本考案の実施形態を詳述したが、本考案は上記実施形態に限定されるものではない。本考案は、実用 新案登録請求の範囲に記載された事項を逸脱することがなければ、種々の設計変更を行うことが可能である。例えば、本考案は、幟旗に上述したような袋状部が設けられていて、この幟旗の横幅の３分の１以上の長さを有する幟旗用重錘を用いる限りにおいて、幟旗の大きさに特に制限があるものではない。このため、公知の幟旗についても、上述したような袋状部を設けることにより、幟旗用重錘を挿入して使用することも可能である。また、既存の幟旗の下縁側を縦側縁側の乳ごと折り返し縫製することにより袋状部を形成し、これに幟旗用重錘を装着してもよい。さらに、本考案に係る幟旗用重錘は、幟旗の横幅の３分の１以上の長さを有すれば、上記効果を得ることができるものであって、幟旗の横幅とほぼ同等の長さを有するものであっても、本考案の範囲に含まれるものである。
【符号の説明】
【００２６】
１・・・幟旗用重錘
１ａ・・四半分の円弧状部分
２・・・幟旗
２１・・リング状の乳
２２・・袋状部
２２ａ・開口
２２ｂ・縫製部
【図１】
0003154348.tif 000003
【図２】
0003154348.tif 000004
【図３】
0003154348.tif 000005